(57)【特許請求の範囲】
【請求項１】
空気の吸込口及び吹出口を開口する本体筐体と、
前記本体筐体内の下部に設けられて前記吸込口から吸い込んだ空気を前記吹出口に向かって流通させる送風機と、を備え、
前記送風機はシロッコファン、 プロペラファン、ターボファンのいずれかであり、
前記本体筐体は円筒形状の吸込部と前記吸込部の上部に接続されて下方から上方に向かう柱状をなす吹出部とを有し、
前記吹出部は正面から見た左右方向の幅が前後方向の長さよりも短く形成され、
前記吹出口は前記吹出部の正面壁に沿った縦長の矩形をなすスリット状に形成されるとともにその少なくとも一部が略横方向に向けて空気を吹き出すように配置されていることを特徴とする送風装置。
【請求項２】
前記本体筐体は前記吹出口を開口する箇所の略水平なその断面の外形形状が流線形をなし、
前記吹出口は前記流線形の下流端に対応する箇所に配置されていることを特徴とする請求項１に記載の送風装置。
【請求項３】
前記本体筐体の前記吹出口を開口する箇所の前記断面の外形形状が紡錘形をなすことを特徴とする請求項２に記載の送風装置。
【請求項４】
前記本体筐体の前記吹出口を開口する箇所の前記断面の外形形状が翼の断面形状をなすことを特徴とする請求項２に記載の送風装置。
【請求項５】
前記吹出口は下端から上端に進むに従って空気の吹出し方向が上方を向くように湾曲することを特徴とする請求項１〜請求項４のいずれか１項に記載の送風装置。
【請求項６】
前記本体筐体内の空気中にイオンを放出するイオン発生装置を備えることを特徴とする請求項１〜請求項５のいずれか１項に記載の送風装置。
【請求項７】
前記吹出口からの空気の吹出し方向を横方向に移動させる変位装置を備えることを特徴とする請求項１〜請求項６のいずれか１項に記載の送風装置。
【請求項８】
本体筐体の内部に設けられた送風機を駆動させて吸込口から前記本体筐体内に吸い込んだ空気を吹出口から吹き出す送風方法であって、
前記送風機としてシロッコファン、 プロペラファン、ターボファンのいずれかを用いて、下方から上方に向かう柱状で水平断面の左右方向の幅が前後方向の長さよりも短い流線形、紡錘形、翼形のいずれかをなす前記本体筐体の側壁に沿って配置された縦長の矩形をなすスリット状に形成された前記吹出口を横方向に移動させながら前記吹出口から略横方向に向けて空気を吹き出すことを特徴とする送風方法。
【発明の詳細な説明】
【技術分野】
【０００１】
本発明は、気流を発生させる送風装置及び送風方法に関する。
【背景技術】
【０００２】
家庭用の送風装置である扇風機はモータでプロペラファンを駆動することにより気流を発生させるものであり、構造的に簡単で安価であるため広く普及している。一方近年、外部からファンが見えない送風装置が普及し、それに係る従来技術が特許文献１〜３に開示されている。
【０００３】
特許文献１に記載された扇風機は縦型に形成された箱体の本体の側壁に縦方向に長く延びるスリット状の空気の排出口が形成され、その排出口のすぐ内側に上下に２個並べて設けられたシロッコファンが配置されている。２個のシロッコファンの間に配置されたモータを駆動することによりそれらファンが回転し、スリット状の排出口から横方向に向けて空気が吹出される。
【０００４】
特許文献２及び３に記載された送風機及び扇風機はファン及びモータを収容する本体の上部にリング状に形成された空気の吹き出しノズル（吐風環）が設けられている。本体の下部に配置されたモータを駆動することによりファンが回転し、リング状の吹き出しノズルから横方向に向けて円筒形状に空気が吹出される。
【先行技術文献】
【特許文献】
【０００５】
【特許文献１】特開平２−１８５６９６号公報
【特許文献２】特開２０１０−１３８９０６号公報
【特許文献３】特開昭５６−１６７８９７号公報
【発明の概要】
【発明が解決しようとする課題】
【０００６】
しかしながら、特許文献１に記載された扇風機は本体側壁の空気の排出口のすぐ内側にシロッコファンが配置されているので、排出口周囲の本体の大きさがファンを含んだ大きさになっている。したがって、排出口周囲の本体の外形、すなわち扇風機の設置面積が比較的大きくなってしまうという課題があった。さらに、シロッコファンやモータといった重量物が縦長の箱体の比較的高い位置に配置されているので、本体の重量バランスが不安定であることが懸念される。
【０００７】
また、特許文献２及び３に記載された送風機及び扇風機は空気の吹き出しノズルが従来のプロペラファンを有する扇風機と同様の形態に相当するリング状になっている。したがって、吹き出しノズル周辺の本体の外形、すなわち扇風機の設置面積が比較的大きくなってしまうという課題があった。
【０００８】
本発明は、上記の点に鑑みなされたものであり、省スペース化が図られた送風装置を提供することを目的とする。また、省スペースな占有領域で気流を発生させることが可能な送風方法を提供することを目的とする。
【課題を解決するための手段】
【０００９】
上記の課題を解決するため、本発明の送風装置は、空気の吸込口及び吹出口を開口する本体筐体と、前記本体筐体内の下部に設けられて前記吸込口から吸い込んだ空気を前記吹出口に向かって流通させる送風機と、を備え、前記本体筐体は下方から上方に向かう柱状をなし、前記吹出口は前記本体筐体の側壁に沿った縦長の矩形をなすスリット状に形成されるとともにその少なくとも一部が略横方向に向けて空気を吹き出すように配置されていることを特徴としている。
【００１０】
この構成によれば、送風機を駆動することで吸込口から吹出口まで本体筐体の内部を空気が流通する。本体筐体内に吸い込まれた空気は下方から上方に向かう柱状をなす本体筐体の側壁の吹出口から吹き出される。本体筐体が下方から上方に向かう柱状をなすとともに、吹出口のすぐ内側に送風機が配置されているわけでもないので、送風装置は外形形状が非常にコンパクトになる。
【００１１】
また、上記構成の送風装置において、前記本体筐体は前記吹出口を開口する箇所の略水平なその断面の外形形状が流線形をなし、前記吹出口は前記流線形の下流端に対応する箇所に配置されていることを特徴としている。
【００１２】
この構成によれば、吹出口から吹き出される気流が本体筐体の外面近傍の空気の移動を誘引する。吹出口周辺の本体筐体の外面近傍で、吹出口からの空気吹出し方向に沿った気流が発生する。送風装置が吹き出す空気が増加する。
【００１３】
なお、ここで述べた「流線形」は空気抵抗の低減が図られた形であって、流れの中に置いたときに周りに渦を発生せず、流れから受ける抵抗が最も小さくなる曲線で構成される形を意味する。「流線形」は一般的には気流方向に沿って細長い形状であって、流れの上流端が丸く、下流端がとがっている。前記吹出口は本体筐体の断面の外形形状である流線形の下流端に対応する箇所から、本体筐体の外面近傍で発生する気流の下流に向かって空気を吹き出す。
【００１４】
また、上記構成の送風装置において、前記本体筐体の前記吹出口を開口する箇所の前記断面の形状が紡錘形をなすことを特徴としている。
【００１５】
また、上記構成の送風装置において、前記本体筐体の前記吹出口を開口する箇所の前記断面の形状が翼の断面形状をなすことを特徴としている。
【００１６】
これらの構成によれば、吹出口から吹き出される気流が本体筐体の外面近傍の空気の移動を誘引し易くなる。吹出口周辺の本体筐体の外面近傍で、吹出口からの空気吹出し方向に沿った気流が発生し易くなる。送風装置が吹き出す空気が一層増加する。
【００１７】
また、上記構成の送風装置において、前記吹出口は下端から上端に進むに従って空気の吹出し方向が上方を向くように湾曲することを特徴としている。この構成によれば、本体筐体の横方向からやや上方向に向けて空気が吹き出される。送風装置は広範囲に空気を吹き出す。
【００１８】
また、上記構成の送風装置において、前記本体筐体内の空気中にイオンを放出するイオン発生装置を備えることを特徴としている。この構成によれば、イオンを含む空気が本体筐体の吹出口から外部に送出される。
【００１９】
また、上記構成の送風装置において、前記吹出口からの空気の吹出し方向を横方向に移動させる変位装置を備えることを特徴としている。この構成によれば、本体筐体の横方向の広範囲に空気が吹き出される。
【００２０】
また、上記の課題を解決するため、本発明の送風方法は、本体筐体の内部に設けられた送風機を駆動させて吸込口から前記本体筐体内に吸い込んだ空気を吹出口から吹き出す送風方法であって、下方から上方に向かう柱状をなす前記本体筐体の側壁に沿って配置された縦長の矩形をなすスリット状に形成された前記吹出口から略横方向に向けて空気を吹き出すことを特徴としている。
【００２１】
この方法によれば、送風機を駆動することで吸込口から吹出口まで本体筐体の内部を空気が流通する。本体筐体内に吸い込まれた空気は下方から上方に向かう柱状をなす本体筐体の側壁の吹出口から吹き出される。
【００２２】
また、上記構成の送風方法において、前記吹出口を横方向に移動させながら前記吹出口から空気を吹き出すことを特徴としている。この方法によれば、本体筐体の横方向の広範囲に空気が吹き出される。
【発明の効果】
【００２３】
本発明の構成によれば、送風装置は下方から上方に向かう柱状をなす本体筐体の側壁の吹出口から空気を吹き出す。このように、省スペース化が図られた送風装置を提供することが可能である。また、省スペースな占有領域で気流を発生させることが可能な送風方法を提供することができる。
【図面の簡単な説明】
【００２４】
【図１】本発明の実施形態に係る送風装置の外観斜視図である。
【図２】本発明の実施形態に係る送風装置の正面図である。
【図３】本発明の実施形態に係る送風装置の背面図である。
【図４】図３に示す送風装置のＩＶ−ＩＶ線における垂直断面図である。
【図５】本発明の実施形態に係る送風装置のイオン発生装置の外観斜視図である。
【図６】本発明の実施形態に係る送風装置のイオン発生装置の回路図である。
【図７】図３に示す送風装置のＶII−ＶII線における水平断面図である。
【図８】本発明の実施形態に係る送風装置の構成を示すブロック図である。
【図９】本発明の実施形態に係る送風装置の動作時の気流を示す模式図である。
【発明を実施するための形態】
【００２５】
以下、本発明の実施形態に係る送風装置を図１〜図９に基づき説明する。
【００２６】
最初に、本発明の実施形態に係る送風装置について、図１〜図４を用いてその構造の概略を説明する。図１は送風装置の外観斜視図、図２は送風装置の正面図、図３は送風装置の背面図、図４は図３に示す送風装置のＩＶ−ＩＶ線における垂直断面図である。
【００２７】
送風装置１は、図１〜図４に示すように柱状をなす本体筐体２と、本体筐体２の内部に設けられた送風機３とを備えている。
【００２８】
本体筐体２は下方から上方に向かうに従って徐々に先細りとなる柱状をなして設置面上に立設されている。本体筐体２は下部に吸込口４ａを開口する吸込部４を備え、上部に吹出口５ａを開口する吹出部５を備えている。
【００２９】
本体筐体２の下部正面には操作部６が設けられている。本体筐体２の最下方には本体筐体２が上面に載置されてこれを支持する円形の台座部７が設けられている。
【００３０】
送風機３は本体筐体２の背面側であって下部の吸込部４に設けられている。吸込部４と吹出部５とは送風機３から延びるフレキシブルダクト８で接続され、空気の流通が可能になっている。そして、送風機３は吸込口４ａから吸い込んだ空気を吹出口５ａに向かって流通させる。
【００３１】
送風機３の付図示の排気口の箇所であって送風機３とフレキシブルダクト８との間にはイオン発生装置２０が配置されている。また、本体筐体２の内部には不図示の制御基板が設けられている。また、送風装置１は不図示のバッテリーまたは電源プラグを備え、バッテリーまたは商用交流電源から電力の供給を受け、動作する。
【００３２】
続いて、送風装置１の詳細な構成について、図１〜図４に加えて図５〜図９を用いて説明する。図５はイオン発生装置２０の外観斜視図、図６はイオン発生装置２０の回路図、図７は図３に示す送風装置１のＶII−ＶII線における水平断面図、図８は送風装置１の構成を示すブロック図、図９は送風装置１の動作時の気流を示す模式図である。
【００３３】
本体筐体２の吸込部４は、図３及び図４に示すように本体筐体２の下部に設けられ、略水平な断面が円形をなす円筒形状で構成されている。吸込部４は内部に空気通路としての空間を擁し、その背面に吸込口４ａを備えている。吸込口４ａは径方向に向かって開口して吸込部４の内部と外部とを連通させている。吸込口４ａのすぐ内側には吸い込んだ空気に含まれる塵埃を捕集するためのネットフィルタ９が設置されている。
【００３４】
操作部６は吸込部４の正面に設けられている。操作部６は図８に示す運転スイッチ６ａ、イオンスイッチ６ｂ、首振りスイッチ６ｃ、風量切替スイッチ６ｄ、温風スイッチ６ｅなどのスイッチ類を備えるとともに、運転情報を表示する表示部６ｆを備えている。表示部６ｆは例えば小型の多色ＬＥＤランプで構成されているが、液晶画面などを用いて詳細な運転情報を表示するようにしても良い。
【００３５】
台座部７は吸込部４の下方であって本体筐体２の最下方に設けられている。台座部７は送風装置１の首振り動作を可能にするために設けられている。台座部７は、図４に示すようにその回転軸７ａを本体筐体２の底面の径方向中心に挿入して本体筐体２を回転可能に支持している。
【００３６】
台座部７を用いて送風装置１の首振り動作を可能にする変位装置である首振り装置７ｂは吸込部４の内部に設けられている。首振り装置７ｂは、例えばカム付きのギアモータであり、回転動作を往復動作に変換して本体筐体２を回転軸７ａの周りに左右に反復回動させる首振り動作を実現する。
【００３７】
送風機３は例えばシロッコファンで構成され、図４に示すように吸込部４の内部に設けられている。送風機３は不図示の吸気口が吸込部４の空気通路側に対向し、不図示の排気口が吸込部４の天井部に設けられた接続部４ｂに接続されている。接続部４ｂにはフレキシブルダクト８が接続され、送風機３を駆動させると、吸込口４ａから吸い込んだ外部の空気を吸込部４内に流通させてフレキシブルダクト８を介して吹出部５に向かって送り出す。本実施形態では送風機３をシロッコファンとしたが、プロペラファンやターボファン形式の送風機であっても良い。
【００３８】
イオン発生装置２０は吸込部４の接続部４ｂの箇所、すなわち送風機３に対して空気流通方向下流側に配置されている。イオン発生装置２０はイオンを放出するための放電に用いる放電電極２１やその他電子部品がハウジングに設けられ、例えば図５に示すようにパッケージ化されている。イオン発生装置２０は空気通路に臨む一対の放電電極２１ａ、２１ｂを有し、接続部４ｂ内を流通する空気に対して放電電極２１ａ、２１ｂで放電により発生させたイオンを含ませるように放出する。
【００３９】
イオン発生装置２０は例えば図６に示す回路で構成されている。イオン発生装置２０は回路部２２とイオン発生部２３ａ、２３ｂを備えている。回路部２２は外部から電力供給を受けて高圧の電気パルスを生成する高圧電気発生回路を備えている。
【００４０】
イオン発生部２３ａは放電電極２１ａと誘導電極２４ａとを備え、イオン発生部２３ｂは放電電極２１ｂと誘導電極２４ｂとを備えている。放電電極２１ａ、２１ｂは各々針状に形成されて所定の間隔で並べて配置されている。誘導電極２４ａは放電電極２１ａを中心とする環状に形成され、放電電極２１ａに対向している。同様に、誘導電極２４ｂは放電電極２１ｂを中心とする環状に形成され、放電電極２１ｂに対向している。
【００４１】
イオン発生部２３ａ、２３ｂは同じ構造であり、各々の放電電極２１ａ、２１ｂに高圧電気発生回路で生成された高電圧が供給されて各々誘導電極２４ａ、２４ｂとの間で放電を発生させ、イオンを放出する。
【００４２】
ここで、イオン発生装置２０の放電電極２１ａ、２１ｂには交流波形またはインパルス波形から成る電圧が印加される。放電電極２１ａには正電圧が印加され、コロナ放電による水素イオンが空気中の水分と結合して主としてＨ＋（Ｈ２Ｏ）ｍから成るプラスイオンを発生する。放電電極２１ｂには負電圧が印加され、コロナ放電による酸素イオンが空気中の水分と結合して主としてＯ２−（Ｈ２Ｏ）ｎから成るマイナスイオンを発生する。ここで、ｍ、ｎは任意の自然数である。Ｈ＋（Ｈ２Ｏ）ｍ及びＯ２−（Ｈ２Ｏ）ｎは空気中の浮遊菌や臭い成分の表面で凝集してこれらを取り囲む。
【００４３】
そして、式（１）〜（３）に示すように、衝突により活性種である［・ＯＨ］（水酸基ラジカル）やＨ２Ｏ２（過酸化水素）を微生物等の表面上で凝集生成して浮遊菌や臭い成分を破壊する。ここで、ｍ’、ｎ’は任意の自然数である。したがって、プラスイオン及びマイナスイオンを発生して吹出口５ａから吹き出すことにより、例えば室内の除菌及び脱臭を行うことができる。
【００４４】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００４５】
なお、本実施形態ではイオン発生装置２０によってプラスイオン及びマイナスイオンを発生しているが、プラスイオンのみまたはマイナスイオンのみを発生しても良い。
【００４６】
また、本発明において、イオンには帯電微粒子水も含むものとする。このとき、イオン発生装置２０は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出されるマイナスイオンも発生する。
【００４７】
なお、イオン発生装置２０の空気流通方向下流側にはイオン検知センサ１０が設けられている（図８参照）。イオン検知センサ１０はイオンの発生を確認してイオン発生装置２０の運転状況を監視する。
【００４８】
フレキシブルダクト８は蛇腹状をなし、図３及び図４に示すように送風装置１の背面側であって吸込部４と吹出部５との間の箇所に配置されている。フレキシブルダクト８は略垂直をなす姿勢で配置されている。これにより、送風機３から送り出された気流は吹出部５の長手方向とほぼ平行に吹出部５に流入する。
【００４９】
フレキシブルダクト８は空気流通方向上流端８ａが吸込部４の接続部４ｂに接続され、下流端８ｂが吹出部５に着脱可能に接続されている。フレキシブルダクト８は下流端８ｂが吹出部５から取り外すことができ、上流端８ａから引き延ばして曲げることができる。そして、引き延ばしてフレキシブルダクト８の下流端８ｂに不図示の付属品を装着することにより、送風装置１を様々な用途に使用することもできる。
【００５０】
フレキシブルダクト８には例えば２種類のものがあり、収納時と使用時とで長さをあまり変化させることができない種類のものと長さを大きく変化させることができる種類のものとがある。送風用としてはいずれの種類のものも採用可能である。ただし、本発明の送風装置１のフレキシブルダクト８ように長さを変化できるほうが多くの用途に使用することができる。
【００５１】
本体筐体２の吹出部５は、図１、図２及び図４に示すように本体筐体２の上部に設けられ、前述のように下方から上方に向かうに従って徐々に先細りとなる柱状をなしている。吹出部５は内部に空気通路としての空間を擁し、その正面に吹出口５ａを備えている。吹出口５ａは本体筐体２の側壁に沿った縦長の矩形をなすスリット状に形成されるとともに下側の大半部分が略横方向に向けて空気を吹き出すように配置されている。
【００５２】
そして、吹出口５ａは設置面に対して鉛直ではなく、下端から上端に進むに従って空気の吹出し方向が上方を向くように湾曲している。これにより、送風装置１は前方及び斜め上方に空気を吹き出す。なお、吹出口５ａは必ずしも下端から上端に進むに従って空気の吹出し方向が上方を向くように湾曲しなければならないわけではなく、設置面に対して鉛直であっても良い。
【００５３】
吹出口５ａのスリット幅および長さは、送出すべき風量によって決定される。例えば、本実施形態では吹出口５ａのスリット幅を約８ｍｍとした。吹出口５ａから吹き出す気流によって吹出口５ａの周囲の空気を引き寄せるためには気流速度が速い方が有利であり、スリット幅は１ｃｍ以下が好ましい。その上で様々な風量に対応するには、吹出口５ａから吹き出す気流速度を一定とすると、大風量用の送風装置では吹出口５ａの長さを長くし、小風量用の送風装置では吹出口５ａの長さを短くするのが一般的である。つまり、大風量用では吹出部５が長くなり、小風量用では吹出部５が短くなる。なお、吹出口５ａはスリット幅を所定の幅に保つために縦方向の途中数か所にスペーサ部５ｂを設けている。
【００５４】
吹出口５ａのすぐ内側には吹出口５ａから均等に空気を送出させるための整流フィルタ１１が設けられている。整流フィルタ１１は通気性とともに適度な空気抵抗を備える構造体であって、吹出部５の内部を適切な静圧に維持する。このようにすることで送風機３から送り出された空気が有する速度エネルギーを静圧エネルギーに変換するとともに、送り出される空気の整流を行う。送風機３から送り出された空気が有する速度エネルギーを静圧エネルギーに変換することにより、吹出口部５の内部には均等に静圧がかかる。静圧は至る箇所で、またあらゆる面に垂直に且つ均等に働くので、吹出口５ａの長手方向に沿って均等に空気を吹き出させることが可能である。
【００５５】
また、吹出口５ａのスリット状の幅を狭くすることによって、適度の空気抵抗を得るように構成することも可能である。この場合には、整流フィルタ１１を省略することができる。
【００５６】
本体筐体２は、図７に示すように吹出口５ａを開口する箇所の略水平なその断面の外形形状が流線形をなしている。この流線形とは空気抵抗の低減が図られた形であって、流れの中に置いたときに周りに渦を発生せず、流れから受ける抵抗が最も小さくなる曲線で構成される形状である。また、流線形とは本体筐体２の外面近傍で発生すると想定した気流の流れの方向に沿って細長い形状であって、流れの上流端が丸く、下流端がとがっている。吹出口５ａは本体筐体２の断面の外形形状である流線形の下流端に対応する箇所に配置され、本体筐体２の外面近傍で発生する気流の下流に向かって空気を吹き出す。
【００５７】
また、図７に示すように、本体筐体２の吹出口５ａを開口する箇所の略水平なその断面は吹出口５ａからの空気の吹き出し方向の長さをＬとし、空気の吹き出し方向と直角をなす方向の幅をＷとすると、Ｗ＜Ｌとなるように構成されている。吹出口５ａに接続する本体筐体２の側面の部分の形状は、吹出口５ａの周囲の空気が吹出口５ａから吹き出される気流に引き寄せられて移動することを妨げないような形状をなしている。
【００５８】
ここで、本体筐体２内に設けられた不図示の制御基板は送風装置１の動作制御のため、不図示のＣＰＵやその他の電子部品で構成された制御部１２を備えている（図８参照）。制御部１２はそのＣＰＵを中央演算処理装置として利用して記憶部（不図示）などに記憶、入力されたプログラム、データに基づき送風機３やイオン発生装置２０、首振り装置７ｂなどといった構成要素を制御して一連の送風運転やイオン送出運転を実現する。また、制御部１２は計時部１３を備え、システムのクロック周期を基準として様々な時間を計測することができる。
【００５９】
上記構成の送風装置１において操作部６の運転スイッチ６ａが操作されて送風運転が指示されると、送風機３及びイオン発生装置２０が駆動される。これにより、本体筐体２は吸込口４ａから送風装置１の外部の空気を吸い込む。吸込口４ａから吸い込まれた空気は吸込部４の内部の空気通路を経て、送風機３に流入する。
【００６０】
送風機３から排出される空気には吸込部４の接続部４ｂの箇所においてイオン発生装置２０が放出するイオンが含まれる。イオンを含む気流はフレキシブルダクト８に流入する。フレキシブルダクト８を通過した空気は吹出部５に流入する。そして、本体筐体２の側壁に沿って設けられた吹出口５ａから略横方向に向けてイオンを含む空気が吹き出される。
【００６１】
なお、イオン発生装置２０が放出したイオンをイオン検知センサ１０が検知し、制御部１２はイオン検知センサ１０の出力に基づいてイオン量が規定値に達していることを確認する。イオン量の検知は送風装置１の起動時、または予め定めた時間の経過後に一定の時間イオン量の測定を行う。イオン量が規定値以下である場合、異常である旨を表示部６ｆに表示する、若しくは警報して送風装置１は運転を停止する。
【００６２】
また、制御部１２はイオン発生装置２０の積算運転時間も監視している。イオン発生装置２０の積算運転時間があらかじめ定めた時間を超過した場合、イオン発生装置２０の寿命が尽きた旨を表示部６ｆに表示する、若しくは警報して送風装置１は運転を停止する。送風装置１はイオン発生装置２０の寿命が尽きて新たなイオン発生装置に交換されると、警報のリセットが行われて通常運転が再開される。
【００６３】
そして、送風装置１は上記のように送風運転とイオン送出運転とを同時に実行できるほか、送風運転とイオン送出運転とを各々単独で実行することも可能である。イオン発生装置２０の運転を選択可能に構成することは利便性向上の面で好ましく、操作部６のイオンスイッチ６ｂでイオン送出運転のオン、オフを行うことができる（図８参照）。イオン発生装置２０に不具合が発生した場合や寿命が尽きた場合、単に送風機能のみを使用することが可能になる。
【００６４】
また、操作部６の首振りスイッチ６ｃ（図８参照）がオンにされていると、送風機３の運転に合わせて首振り装置７ｂが首振り動作を開始する。ここで、送風装置１は吹出口５ａが縦長のスリット状であるので、吹出口５ａから送出される気流も縦長の帯状気流となる。これにより、例えば首振り装置７ｂを備えていない場合、吹出口５ａの正面にある対象だけに気流が当たる状態となって快適性が減少する。したがって、気流やイオンを拡散させるためには適度な範囲で往復動作できる首振り装置７ｂが必要である。
【００６５】
本実施形態の送風装置１の吹出口５ａから送出される気流は非常に幅が狭く、速度が速いので、その気流を人が受けると爽快感が得られる。さらに、送風装置１が首振り動作を実行しているとき、縦長の線状の強い気流が体表を右から左、または左から右に走査するように移動して一層清涼感が得られる。
【００６６】
また、送風機３の出力を可変にして風量を変更できるようにすることも好ましい。風量の変更幅は吹出口５ａの大きさによって適宜定められる。吹出口５ａの大きさに対してあまり風量が多い場合、吹き出し気流の速度が速くなりすぎて不快な騒音を発生させる原因となる。また、逆に風量が少なすぎる場合、気流の到達距離が制限されてしまう。風量の変更手段については多くの分野で実用化されている手段に沿えば良く、操作部６に風量切替スイッチ６ｄが設けられている（図８参照）。
【００６７】
また、吸込口４ａから吹出口５ａに至る空気流通経路中に、本体筐体２内を流通する空気の加熱装置（不図示）を設けることも好ましい。一般に人が感じる空気温度、つまり体感温度は気流の風速が１ｍ／ｓ速くなるごとに１℃低下すると言われている。室内の気温が２０℃の場合、吹出口５ａを出た直後の気流の風速が１０ｍ／ｓであるとすると体感温度は１０℃前後となり、夏場のエアコンの吹出口を出た直後の気流の温度に近くなる。そのため、送風装置１に内部を流通する空気の加熱装置を設けて使用者が肌寒さを感じないようにすることが好ましい。操作部６の温風スイッチ６ｅで空気の加熱運転のオン、オフを行うことができる（図８参照）。
【００６８】
そして、図９は送風装置１の動作時の本体筐体２周辺の気流を模式的に示している。本発明の実施形態に係る送風装置１は空気を吹き出す構造及び吹出口５ａを有する吹出部５（本体筐体２）の形状に特徴がある。
【００６９】
送風装置１は吹出部５の内部で均等な静圧を維持しているので、図９に示すように吹出口５ａからその長手方向（上下方向）の全域にわたって均等な層流の気流Ｂを送出する。気流Ｂが吹出口５ａから送出された時点で比較的速い速度を有するので、ベルヌーイの定理に従って気流Ｂ自体の圧力が低下して縮流が発生する。これにより、吹出口５ａ近傍の空気が気流Ｂに誘引される。吹出口５ａ近傍の空気が気流Ｂとともに移動することにより、さらにその周辺の空気が引き寄せられるということが連続して起こる。
【００７０】
そのように引き寄せられて移動する気流が図９に示した気流Ａ１、Ａ４であるとすると、それら気流Ａ１、Ａ４によってさらに吹出部５の背面側からも空気が引き寄せられて移動を始めて気流Ａ２、Ａ３が生じる。吹出部５の側面に沿った吹出部５周辺の空気の移動である気流Ａ１〜Ａ４が時間の経過とともに安定し、吹出口５ａから吹き出される気流Ｂと一体となって大きな気流を形成する。
【００７１】
言い換えれば、吹出部５は気流の中に障害物として存在することになり、気流を切り裂くような状態になっている。吹出部５の両側面に沿って気流が通過するので、吹出部５の水平断面形状は空気の抵抗が少ない形状であることが好ましい。さらに、その形状は吹出口５ａの長さ方向（上下方向）の全域にわたって構成されていることが好ましい。
【００７２】
通常、物体が空気中を高速で移動するのに適した形状は、水滴のような形状や翼の断面形状などといった所謂流線形をなし、気流の上流側から見た障害物の前面投影面積が小さいほど良く、気流が直接当たる先端部の形状係数が小さいほど良い。さらに、前面投影面積が障害物の気流方向の長さに比べて小さいことが好ましいとされる。これにより、本実施形態では吹出口５ａの長手方向に対して直角をなす断面、すなわち水平断面を流線形とした。
【００７３】
このように流体中で抵抗の少ない断面形状は一般的に流線形や紡錘形と呼ばれている。流線形や紡錘形は流体の流れと平行な方向の長さが、流れと直角をなす方向の長さよりも数倍大きいものが高速流体に対しても抵抗が少なくなる。また、流線形や紡錘形は流線に沿った上流側及び下流側の両端が抵抗を少なくするために細くなり、流線に沿った中央部が流線と直角をなす方向に膨らんだ形状となっている。なお、厳密には流線形と紡錘形とは少し異なるが、流体中で抵抗を減らすために同じように用いられることがある。魚類の体型や飛行機の翼などの断面形状が流線形や紡錘形の一例である。そして、本体筐体２の吹出口５ａを開口する箇所の略水平な断面形状は紡錘形や翼の断面形状に限定されるわけではない。
【００７４】
上記のように、送風装置１は下部に送風機３が設けられた本体筐体２が下方から上方に向かうに従って徐々に先細りとなる柱状をなし、吹出口５ａが本体筐体２の側壁に沿った縦長の矩形をなすスリット状に形成されるとともに略横方向に向けて空気を吹き出す。本体筐体２が下方から上方に向かうに従って徐々に先細りとなる柱状をなすとともに、吹出口５ａのすぐ内側に送風機３が配置されているわけでもないので、送風装置１は外形形状を非常にコンパクトにすることができ、本体筐体２の占有空間を小さくすることができる。すなわち、送風装置１は設置時の占有面積もより小さくすることができる。また、送風機３が本体筐体２の下部に配置されているので、送風装置１は重量バランスが安定して倒れ難くなっている。
【００７５】
また、本体筐体２は吹出口５ａを開口する箇所の略水平なその断面の外形形状が流線形をなし、吹出口５ａはその流線形の下流端に対応する箇所に配置されているので、吹出口５ａから吹き出される気流が本体筐体２の外面近傍の空気の移動を誘引する。これにより、吹出口５ａ周辺の本体筐体２の外面近傍で、吹出口５ａからの空気吹出し方向に沿った気流を発生させることができる。したがって、送風装置１が吹き出す空気を増加させることが可能である。
【００７６】
そして、本体筐体２は吹出口５ａを開口する箇所の略水平なその断面の外形形状が紡錘形若しくは翼の断面形状をなすので、吹出口５ａから吹き出される気流が本体筐体２の外面近傍の空気の移動を誘引し易くなる。これにより、吹出口５ａ周辺の本体筐体２の外面近傍で、吹出口５ａからの空気吹出し方向に沿った気流を発生し易くすることができる。したがって、送風装置１が吹き出す空気を一層増加させることが可能である。
【００７７】
また、吹出口５ａは下端から上端に進むに従って空気の吹出し方向が上方を向くように湾曲しているので、本体筐体２の横方向からやや上方向に向けて空気が吹き出される。これにより、送風装置１は広範囲に空気を吹き出すことが可能になる。
【００７８】
また、送風装置１は本体筐体２内の空気中にイオンを放出するイオン発生装置２０を備えているので、イオンを含む空気が本体筐体２の吹出口５ａから外部に送出される。これにより、送風装置１は、例えば室内の除菌及び脱臭を行うことができる。
【００７９】
そして、送風装置１は吹出口５ａからの空気の吹出し方向を横方向に移動させる変位装置である首振り装置７ｂを備えているので、本体筐体２の横方向の広範囲に空気が吹き出される。このようにして横方向に流れる気流を受けることにより使用者は一層清涼感が得られ、快適性が高められる。
【００８０】
そして、本発明の上記実施形態の構成によれば、省スペース化が図られた送風装置１を提供することが可能である。また、省スペースな占有領域で気流を発生させることが可能な送風方法を提供することができる。
【００８１】
以上、本発明の実施形態につき説明したが、本発明の範囲はこれに限定されるものではなく、発明の主旨を逸脱しない範囲で種々の変更を加えて実施することができる。
【産業上の利用可能性】
【００８２】
本発明は、気流を発生させる送風装置及び送風方法において利用可能である。
【符号の説明】
【００８３】
１    送風装置
２    本体筐体
３    送風機
４ａ    吸込口
５ａ    吹出口
６    操作部
７ｂ    首振り装置（変位装置）
１２    制御部
２０    イオン発生装置
【図１】
0006012965.tif 000002
【図２】
0006012965.tif 000003
【図３】
0006012965.tif 000004
【図４】
0006012965.tif 000005
【図５】
0006012965.tif 000006
【図６】
0006012965.tif 000007
【図７】
0006012965.tif 000008
【図８】
0006012965.tif 000009
【図９】
0006012965.tif 000010